(57)【要約】  本発明はオーディオ／ビデオ信号を記録および再生するデバイスを提供する。ポータブル記憶デバイス１１は、第１のタイプのオーディオ／ビデオ信号１５を転送するように適合された第１のタイプのポータブル記憶デバイスコネクタ１３を有する。第１のオーディオ／ビデオシステム１７は、ポータブル記憶デバイスコネクタ１３に直接接続し、第１のタイプのオーディオ／ビデオ信号１５を交換する、第１のタイプの第１のオーディオ／ビデオシステムコネクタ１９を有する。第２のオーディオ／ビデオシステム２１は、第２のタイプのオーディオ／ビデオ信号２３を受け取る。インターフェイスセクション２５はポータブル記憶デバイス１１に直接接続する、第１のタイプのインターフェイスセクションコネクタ２７を有する。インターフェイスセクション２５は、第１および第２のタイプのオーディオ／ビデオ信号間で信号を変換し、第１および第２のタイプの信号を交換する。【選択図】      図１【特許請求の範囲】
【請求項１】
ビデオ信号を記録および再生するデバイスにおいて、
ポータブル記憶デバイスと、
第１のタイプのビデオ信号を転送するように適合され、ポータブル記憶デバイス上に取り付けられている、第１のタイプのポータブル記憶デバイスコネクタと、
前記ポータブル記憶デバイスコネクタに直接接続して、前記第１のタイプのビデオ信号を記録および再生するために、前記ポータブル記憶デバイスおよび第１のビデオシステム間で第１のタイプのビデオ信号を交換する第１のタイプの第１のビデオシステムコネクタを有する第１のビデオシステムと、
第２のタイプのビデオ信号を受け取る第２のビデオシステムと、
前記ポータブル記憶デバイスに直接接続する第１のタイプのインターフェイスセクションコネクタを有し、前記第１および第２のタイプのビデオ信号間の変換をし、前記第１のタイプのインターフェイスセクションコネクタと、インターフェイスセクションおよび前記第２のビデオシステム間の信号接続とを通して、前記第１のビデオシステムおよび前記第２のビデオシステム間で、前記第１および第２のタイプの信号を交換するインターフェイスセクションと
を具備するデバイス。
【請求項２】
前記第１のタイプと前記第２のタイプのビデオ信号は、前記デバイスにより記録および再生されるオーディオ信号も含む、請求項１のデバイス。
【請求項３】
前記ポータブル記憶デバイスは、圧縮フォーマットでビデオデータを記憶する少なくとも８ＭＢの不揮発性ソリッドステートメモリと、前記ビデオデータを圧縮および解凍する組み込みエンコーダ／デコーダエンジンとを備える、請求項１のデバイス。
【請求項４】
前記ポータブル記憶デバイスは、前記ソリッドステートメモリを制御する組み込みマイクロ制御装置と、前記ビデオデータおよび前記第１のタイプのビデオ信号間の変換を行うプロトコル制御装置とをさらに備える、請求項３記載のデバイス。
【請求項５】
前記インターフェイスセクションおよび前記第２のビデオシステム間の前記信号接続が、前記第２のビデオシステムに取り付けられている第２のビデオシステムコネクタに直接接続して、第２のタイプのインターフェイスコネクタと、前記第２のタイプの第２のビデオシステムコネクタとを通して、前記第２のタイプの信号を交換し、前記インターフェイスセクションに取り付けられている第２のタイプのインターフェイスコネクタをさらに備える、請求項４記載のデバイス。
【請求項６】
前記第１のビデオシステムはコンピュータであり、前記第２のビデオシステムはテレビジョンである、請求項５記載のデバイス。
【請求項７】
前記第１のビデオシステムはコンピュータであり、
前記ポータブル記憶デバイスコネクタはＵＳＢ雄タイプコネクタであり、
前記第１のタイプの第１のビデオシステムコネクタおよび前記第１のタイプのインターフェイスコネクタはＵＳＢ雌タイプコネクタであり、
前記第１のタイプのビデオ信号は、ＵＳＢプロトコル信号であり、
前記プロトコル制御装置は、ＵＳＢ制御装置である、請求項４記載のデバイス。
【請求項８】
前記第１のビデオシステムはテレビジョンであり、
前記ポータブル記憶デバイスコネクタはＨＤＭＩコネクタであり、
前記第１のタイプの第１のビデオシステムコネクタおよび前記第１のタイプのインターフェイスコネクタは、ＨＤＭＩコネクタであり、
前記第１のタイプのビデオ信号はＨＤＭＩプロトコル信号であり、
前記プロトコル制御装置はＨＤＭＩインターフェイスである、請求項４記載のデバイス。
【請求項９】
前記第２のビデオシステムはテレビジョンであり、
前記第２のタイプの第２のビデオシステムコネクタはＨＤＭＩコネクタであり、
前記第２のタイプのビデオ信号はＨＤＭＩプロトコル信号であり、
前記インターフェイスセクションおよび前記第２のビデオシステムコネクタ間の前記信号接続が、前記インターフェイスセクションに取り付けられ、前記第２のビデオシステムコネクタに直接接続するＨＤＭＩコネクタからなり、
前記インターフェイスセクションは前記ＵＳＢおよびＨＤＭＩプロトコル信号間で変換を行う、請求項７記載のデバイス。
【請求項１０】
前記インターフェイスセクションは、前記ＵＳＢおよびＨＤＭＩプロトコル信号間で変換を行うマイクロ制御装置を備え、前記マイクロ制御装置は、前記第１のタイプのインターフェイスセクションコネクタに接続されているＵＳＢ制御装置と、前記インターフェイスセクションに取り付けられているＨＤＭＩコネクタに接続されているＨＤＭＩ制御装置との間に電気的に接続されている、請求項９記載のデバイス。
【請求項１１】
前記インターフェイスセクションは前記第２のビデオシステムと一体化している、請求項４記載のデバイス。
【請求項１２】
前記インターフェイスセクションは前記ポータブル記憶デバイスと一体化している、請求項４記載のデバイス。
【請求項１３】
前記ポータブル記憶デバイスが使用されるとき、前記第１および前記第２のビデオシステムの両方とは信号通信しない、請求項４記載のデバイス。
【請求項１４】
前記インターフェイスセクションは、前記ポータブル記憶デバイス、前記第１のビデオシステムおよび前記第２のビデオシステムから独立している筐体に収納されている、請求項４記載のデバイス。
【請求項１５】
前記ポータブル記憶デバイスは、圧縮フォーマットでビデオデータを記憶する少なくとも８ＭＢの不揮発性ソリッドステートメモリと、前記圧縮フォーマットおよび前記第１のタイプのビデオ信号間の前記ビデオデータの変換を協調して働いて行う、組み込みエンコーダ／デコーダエンジン、組み込みマイクロ制御装置およびプロトコル制御装置とを備え、前記圧縮データのフォーマットは、ＭＰＥＧ１、ＭＰＥＧ２、ＭＰＥＧ４、ＭＰ３、ＭＰＥＧ７およびＭＰＥＧ２１からなる組から選択される、請求項２記載のデバイス。
【請求項１６】
前記組み込みエンコーダ／デコーダエンジンは、異なる圧縮データフォーマットをエンコード／デコードするように、コンピュータによりプログラム可能である、請求項１５記載のデバイス。
【請求項１７】
前記マイクロ制御装置に結合され、前記マイクロ制御装置により制御される生体情報ベース認証モジュールをさらに具備し、前記生体情報ベース認証モジュールがユーザの識別子を認証する場合には前記ユーザに対して前記不揮発性メモリへのアクセスが許可され、そうでない場合には、前記ユーザに対して前記不揮発性メモリへのアクセスが拒否される、請求項３記載のデバイス。
【請求項１８】
前記生体情報ベース認証モジュールは、前記ユーザの親指の指紋からデータを取得する親指の指紋センサを含む、請求項３記載のデバイス。
【請求項１９】
前記マイクロ制御装置に結合され、ユーザが前記ビデオ信号の記録および再生を制御できるようにするキーマトリクスをさらに具備する、請求項３記載のデバイス。
【請求項２０】
オーディオおよびビデオ信号を記録および再生するデバイスにおいて、
コンピュータに直接接続するためのコンピュータコネクタと、
テレビジョンに直接接続するための独立したテレビジョンａ／ｖコネクタとを具備するデバイス。
【請求項２１】
前記コンピュータコネクタおよび前記テレビジョンａ／ｖコネクタは、別々の筐体に取り付けられている、請求項２０記載のデバイス。
【請求項２２】
ビデオ信号を記録および再生する方法において、
ポータブル記憶デバイスに取り付けられている第１のタイプのポータブル記憶デバイスコネクタを、第１のビデオシステムの前記第１のタイプの第１のビデオシステムコネクタに直接接続するステップと、
前記第１のビデオシステムコネクタおよび前記ポータブル記憶デバイスコネクタを通して、前記第１のビデオシステムから前記ポータブル記憶デバイスに前記第１のタイプのビデオ信号を転送するステップと、
前記ポータブル記憶デバイスに組み込まれているエンコーダエンジンを使用して、前記ビデオ信号を圧縮されたビデオデータにエンコードするステップと、
前記ポータブル記憶デバイスのメモリセクションに前記圧縮ビデオデータを記憶して、前記第１のタイプのビデオ信号を記録するステップと、
前記第１のタイプのポータブル記憶デバイスコネクタを前記第１のタイプの第１のビデオシステムコネクタから分離するステップと、
前記ポータブル記憶デバイスに取り付けられている前記第１のタイプのポータブル記憶デバイスコネクタを、インターフェイスセクションの前記第１のタイプのインターフェイスセクションコネクタに直接接続するステップと、
前記ポータブル記憶デバイスに組み込まれているデコーダエンジンを使用して、前記圧縮ビデオデータをデコードされたビデオ信号にデコードするステップと、
前記第１のタイプのポータブル記憶デバイスコネクタおよび前記第１のタイプのインターフェイスセクションコネクタを通して、前記第１のタイプのビデオ信号を前記インターフェイスセクションに送るステップと、
前記インターフェイスセクションを通して前記信号を送ることにより、前記第１のタイプのビデオ信号を第２のタイプのビデオ信号に変換するステップと、
前記インターフェイスセクションおよび前記第２のビデオシステム間の信号接続を通して、前記第２のタイプのビデオ信号を第２のビデオシステムに送るステップと、
前記第２のビデオシステム上で前記ビデオ信号を再生するステップと
を含む方法。
【請求項２３】
前記インターフェイスセクションおよび前記第２のビデオシステム間の前記信号接続が、前記第２のビデオシステムに取り付けられている第２のビデオシステムコネクタに直接接続し、前記第２のタイプのインターフェイスセクションコネクタと、前記第２のタイプの第２のビデオシステムコネクタとを通して、前記第２のタイプの信号を交換し、前記インターフェイスセクションに取り付けられている第２のタイプのインターフェイスコネクタを含む、請求項２２記載の方法。
【請求項２４】
前記第１のタイプと前記第２のタイプのビデオ信号は、前記デバイスにより記録および再生されるオーディオ信号も含む、請求項２３記載の方法。
【請求項２５】
前記ポータブル記憶デバイスは、圧縮フォーマットでビデオデータを記憶する少なくとも８ＭＢの不揮発性ソリッドステートメモリと、前記ビデオデータを圧縮および解凍する組み込みエンコーダ／デコーダエンジンとを含む、請求項２４記載の方法。
【請求項２６】
前記ポータブル記憶デバイスは、前記ソリッドステートメモリを制御する組み込みマイクロ制御装置と、前記ビデオデータおよび前記第１のタイプのビデオ信号間の変換を行うプロトコル制御装置とをさらに含む、請求項２５記載の方法。
【請求項２７】
前記第１のビデオシステムはコンピュータであり、前記第２のビデオシステムはテレビジョンである、請求項２６記載の方法。
【請求項２８】
前記第１のビデオシステムはコンピュータであり、
前記ポータブル記憶デバイスコネクタはＵＳＢ雄タイプコネクタであり、
前記第１のタイプの第１のビデオシステムコネクタおよび前記第１のタイプのインターフェイスコネクタはＵＳＢ雌タイプコネクタであり、
前記第１のタイプのビデオ信号はＵＳＢプロトコル信号であり、
前記プロトコル制御装置はＵＳＢ制御装置である、請求項２７記載の方法。
【請求項２９】
前記第１のビデオシステムはテレビジョンであり、
前記ポータブル記憶デバイスコネクタはＨＤＭＩコネクタであり、
前記第１のタイプの第１のビデオシステムコネクタおよび前記第１のタイプのインターフェイスコネクタは、ＨＤＭＩコネクタであり、
前記第１のタイプのビデオ信号はＨＤＭＩプロトコル信号であり、
前記プロトコル制御装置はＨＤＭＩインターフェイスである、請求項２６記載の方法。
【請求項３０】
前記第２のビデオシステムはテレビジョンであり、
前記第２のタイプの第２のビデオシステムコネクタはＨＤＭＩコネクタであり、
前記第２のタイプのビデオ信号はＨＤＭＩプロトコル信号であり、
前記インターフェイスセクションおよび前記第２のビデオシステムコネクタ間の前記信号接続が、前記インターフェイスセクションに取り付けられ、前記第２のビデオシステムコネクタに直接接続するＨＤＭＩコネクタからなり、
前記インターフェイスセクションは前記ＵＳＢおよびＨＤＭＩプロトコル信号間で変換を行う、請求項２６記載の方法。
【請求項３１】
前記インターフェイスセクションは、前記ＵＳＢおよびＨＤＭＩプロトコル信号間で変換を行うマイクロ制御装置を備え、前記マイクロ制御装置は、前記第１のタイプのインターフェイスセクションコネクタに接続されているＵＳＢ制御装置と、前記インターフェイスセクションに取り付けられているＨＤＭＩコネクタに接続されているＨＤＭＩ制御装置との間に電気的に接続されている、請求項３０記載の方法。
【請求項３２】
前記インターフェイスセクションは前記第１のビデオシステムと一体化している、請求項２６記載の方法。
【請求項３３】
前記インターフェイスセクションは前記ポータブル記憶デバイスと一体化している、請求項２６記載の方法。
【請求項３４】
前記ポータブル記憶デバイスが使用されるとき、前記第１および前記第２のビデオシステムの両方とは信号通信しない、請求項２６記載の方法。
【請求項３５】
前記インターフェイスセクションは、前記ポータブル記憶デバイス、前記第１のビデオシステムおよび前記第２のビデオシステムから独立している筐体に収納されている、請求項２６記載の方法。
【請求項３６】
前記ポータブル記憶デバイスは、圧縮フォーマットでビデオデータを記憶する少なくとも８ＭＢの不揮発性ソリッドステートメモリと、前記圧縮フォーマットおよび前記第１のタイプのビデオ信号間のビデオデータの変換を協調して働いて行う、組み込みエンコーダ／デコーダエンジン、組み込みマイクロ制御装置およびプロトコル制御装置とをさらに備え、前記圧縮データのフォーマットは、ＭＰＥＧ１、ＭＰＥＧ２、ＭＰＥＧ４、ＭＰ３、ＭＰＥＧ７およびＭＰＥＧ２１からなる組から選択される、請求項２４記載の方法。
【請求項３７】
前記組み込みエンコーダ／デコーダエンジンは、異なる圧縮データフォーマットをエンコード／デコードするように、コンピュータによりプログラム可能である、請求項３６記載の方法。
【請求項３８】
前記マイクロ制御装置に結合され、前記マイクロ制御装置により制御される生体情報ベース認証モジュールによるユーザの識別子の認証に基づいて、前記ユーザが前記不揮発性メモリにアクセスすることを許可するステップと、
そうでない場合、不揮発性メモリへのユーザアクセスを拒否するステップと
をさらに含む、請求項２５記載の方法。
【請求項３９】
前記生体情報ベース認証モジュールは、前記ユーザの親指の指紋からデータを取得する親指の指紋センサを含む、請求項３８記載の方法。
【請求項４０】
前記マイクロ制御装置に結合されたキーマトリクスを使用して、前記ビデオ信号の記録および再生を制御するステップをさらに含む、請求項２５記載の方法。
【発明の詳細な説明】
【発明の分野】
【０００１】
本発明は一般的にオーディオおよびビデオデータの記録、記憶および再生に関連する。
【発明の背景】
【０００２】
【関連技術の説明】
【０００３】
ＶＨＳ、ＶＣＤ、およびＤＶＤプレーヤは、テレビジョンに接続してオーディオ／ビデオフォーマットの再生および記録を行うための現在の規格を提供している。これらのシステムはテープあるいはディスク媒体と、さまざまなオーディオ／ビデオフォーマットをエンコードまたはデコードする特定のレコーダ／プレーヤとを必要とする。しかしながら、媒体に関する技術は変化し続けており、エンコーディングおよびデコーディング方法も変化し続けている。
【０００４】
（テレビジョンのような）家電エレクトロニクス製品と互換性があり、同様にＰＣ製品とも互換性のある、標準ＵＳＢインターフェイスを組み込んでいる記録／再生媒体を持つことが望ましい。オーディオ／ビデオフォーマットのエンコーディングおよびデコーディングの変更の柔軟性を可能にするため、媒体がユーザによってプログラム可能であることが望ましい。そのような媒体は媒体のプレーヤとの非互換性およびオーディオ／ビデオフォーマットのプレーヤシステムとの非互換性をなくすだろう。
【０００５】
特に、高精細度マルチメディアインターフェイス（ＨＤＭＩ）規格は、家電エレクトロニクス部門での主要な規格になると位置付けられている。ＨＤＭＩ規格は、２００３年９月４日に発行された“高精細度マルチメディアインターフェイス仕様、非公式版１．０”に規定されている。このＨＤＭＩ家電エレクトロニクス規格およびＵＳＢのようなコンピュータ規格間の互換性を提供する媒体を提供することが特に望ましい。
【発明の開示】
【発明の概要】
【０００６】
本発明は媒体のプレーヤとの非互換性の問題、およびオーディオ／ビデオフォーマットのプレーヤシステムとの非互換性を解決する。本発明はソリッドステート媒体がＰＣの境界を越え、ＨＤＭＩのような規格を使用するテレビジョンのような家電部門の製品へと横断できるようにする。
【０００７】
一般的に言うと、本発明はオーディオ／ビデオ信号を記録および再生するデバイスを提供する。ポータブル記憶デバイスは、第１のタイプのオーディオ／ビデオ信号を転送するように適合され、ポータブル記憶デバイスに取り付けられた、第１のタイプのポータブル記憶デバイスコネクタを有する。第１のオーディオ／ビデオシステムは、第１のタイプの第１のオーディオ／ビデオシステムコネクタを有し、第１のタイプの第１のオーディオ／ビデオシステムコネクタはポータブル記憶デバイスコネクタに直接接続して、第１のタイプのオーディオ／ビデオ信号を記録および再生するために、ポータブル記憶デバイスおよび第１のオーディオ／ビデオシステム間で第１のタイプのオーディオ／ビデオ信号を交換する。第２のオーディオ／ビデオシステムは、第２のタイプのオーディオ／ビデオ信号を受け取る。インターフェイスセクションは、ポータブル記憶デバイスに直接接続する、第１のタイプのインターフェイスセクションコネクタを有する。インターフェイスセクションは、第１および第２のタイプのオーディオ／ビデオ信号間で信号を変換し、第１のタイプのインターフェイスセクションコネクタと、インターフェイスセクションおよび第２のオーディオ／ビデオシステム間の信号接続とを通して、第１のオーディオ／ビデオシステムおよび第２のオーディオ／ビデオシステム間で、第１および第２のタイプの信号を交換する。
【０００８】
本発明は添付の図面とともに下記の詳細な説明によって、十分に理解されるだろう。この説明を容易にするため、同じ参照番号は同じ構造的エレメントを示す。
【好ましい実施形態の詳細な説明】
【０００９】
テレビジョンおよびコンピュータの両方に接続し、オーディオおよびビデオ信号を記録および再生するポータブル記憶デバイス、ならびに、同じことを行う方法が提供される。下記の説明では、本発明の十分な理解を提供するため、数々の特定の詳細が述べられている。しかしながら、本発明がこれらの特定の詳細のいくつかまたはすべてがなくても実行できることを当業者は理解するだろう。本発明を不必要に曖昧にしないため、他の例においてよく知られたプロセス動作は詳細に説明していない。
【００１０】
図１は、本発明のビデオ信号を記録および再生するデバイスを示している。ポータブル記憶デバイス１１に取り付けられているのは、第１のタイプのポータブル記憶デバイスコネクタ１３であり、第１のタイプのビデオ信号１５を転送するように適合されている。ポータブル記憶デバイス１１は、ユーザの手の掌に容易に収まり、便利な携帯性のために、ユーザのポケット内に容易に収めることができるサイズであることが好ましい。ポータブル記憶デバイス１１は、メモリセクション３３、マイクロ制御装置ユニット３１、エンコーダ／デコーダエンジン３５、プロトコル制御装置３７、キーマトリクス３９および生体情報ベース認証モジュール４１を含む。メモリセクション３３は、少なくとも８ＭＢの記憶容量を有する不揮発性ソリッドステートメモリであってもよい。代わりに、メモリセクションはハードディスクドライブのような光学ドライブまたは他の形態のコンパクトデータ記憶装置であってもよい。
【００１１】
第１のビデオシステム１７は、第１のタイプの第１のビデオシステムコネクタ１９を有し、第１のタイプの第１のビデオシステムコネクタ１９は、ポータブル記憶デバイスコネクタに直接接続し、第１のタイプのビデオ信号を記録および再生するために、ポータブル記憶デバイス１１および第１のビデオシステム１７間で第１のタイプのビデオ信号１５を交換する。
【００１２】
第２のビデオシステム２１は、インターフェイスセクション２５から第２のタイプのビデオ信号２３を受け取る。インターフェイスセクション２５は、ポータブル記憶デバイス１１のコネクタ１３に直接接続する第１のタイプのインターフェイスセクションコネクタ２７を有する。インターフェイスセクション２５は第１のタイプのビデオ信号１５および第２のタイプのビデオ信号２３間で信号の変換を行う。インターフェイスセクションは、第１のタイプのビデオ信号１５へのおよび第１のタイプのビデオ信号１５からの信号を変える第１のタイプのプロトコル制御装置４３と、第２のタイプのビデオ信号２３へのおよび第２のタイプのビデオ信号２３からの信号を変える第２のタイプのプロトコル制御装置４５と、第１のインターフェイスプロトコルタイプの信号５７および第２のインターフェイスプロトコルタイプの信号５９間で信号を変えるまたは変換を行うためのインターフェイスセクションマイクロ制御装置ユニット４７とを含む。信号接続２９は、第２のタイプのビデオ信号２３を第２のビデオシステム２１におよび/またはビデオシステム２１から伝える。信号接続２９は、第２のタイプのインターフェイスセクションコネクタ５３を含むことができる。第２のタイプのインターフェイスセクションコネクタ５３は、第２のタイプの第２のビデオシステムコネクタ５５に直接接続して、第２ビデオシステム２１およびインターフェイスセクション２５間で第２のタイプのビデオ信号２３を転送する。代わりに、直接接続を使用するよりも、コネクタ５３、５５、インターフェイスセクション２５および第２のビデオシステム２１を、仲介ケーブル経由で接続し、あるいはブルートゥース（登録商標）のようなプロトコルを使用してまたは赤外線を使用してワイヤレスで接続してもよい。
【００１３】
インターフェイスセクション２５は、（ポータブル記憶デバイス１１ならびに第１および第２のビデオシステム１７、２１から独立した筐体に収納された）物理的に独立した構成部品であってもよく、または第２のビデオシステム２１と一体化してもよい。図３は第２のビデオシステム２１と一体化したインターフェイスセクション２５の例を示している。代わりに、インターフェイスセクション２５はポータブル記憶デバイス１１と一体化してもよく、このケースではポータブル記憶デバイス１１は第１および第２のビデオシステム１７、２１に接続するための第１および第２のタイプ両方のコネクタを有する（図４参照）。好ましい実施形態では、ポータブル記憶デバイス１１が使用されるとき、第１および第２のビデオシステムの両方と同時には物理的または信号通信しない。
【００１４】
第２のビデオシステム２１は、第１のビデオシステム１７と同一の部屋にあってもよく、あるいは異なる部屋または異なる建物にあってもよい。ポータブル記憶デバイス１１を一方のおおむね近くから他方のおおむね近くへと運ぶことができる限り、第１および第２のビデオシステム１７、２１の相対的位置に関する制限はない。
【００１５】
ビデオ信号について上で言及したが、ビデオ信号は一般的にオーディオ／ビジュアル信号の形態でオーディオ信号と組み合わされていることに留意すべきである。また、第１および第２のビデオシステムは一般的にオーディオおよびビデオの両方を含むオーディオ／ビジュアルシステムの一部である。本発明は純粋なオーディオ信号とともに使用してもよく、このケースでは、第１および第２のビデオシステム１７、２１はオーディオシステムとしてもよい。
【００１６】
図２をさらに参照して本発明の機能を説明する。ステップ２０１において、ポータブル記憶デバイスコネクタ１３は、第１のビデオシステム１７からのビデオデータを記録するために、第１のビデオシステム１７の第１のビデオシステムコネクタ１９に直接接続している。代わりに、コネクタ１３、１９間で直接的な物理接続を使用するよりも、第１のタイプのビデオ信号１５を、仲介ケーブルを使用して、あるいはブルートゥースのようなプロトコルを使用してまたは赤外線を使用してワイヤレスで、ポータブル記憶デバイス１１および第１のビデオシステム１７間で送信してもよい。
【００１７】
ユーザはキーマトリクス３９をトリガして、ビデオデータの記録が始まることを示す信号をマイクロ制御装置ユニット３１に送信する。キーマトリクス３９は記録および再生機能を制御するマイクロ制御装置ユニット３１と通信するためのキー（ボタン）を含んでいてもよい。
【００１８】
生体情報ベース認証モジュール４１は、マイクロ制御装置ユニット３１に結合されて、マイクロ制御装置ユニット３１によって制御され、ポータブル記憶デバイス１１へのアクセスを制御する。認証モジュール４１がユーザの識別子を認証する場合には、再生および／または記録のためにポータブル記憶デバイスの不揮発性メモリ３３へのアクセスがユーザに対して許可される。そうでない場合には、ユーザに対して不揮発性メモリへのアクセスが拒否される。認証モジュール４１はユーザが素材に対して支払うことなく、著作権のある素材を記録することを防止するのに有用である。認証されたユーザによってのみ著作権のある素材が記録できるように、認証モジュール４１は生体情報またはアクセスコードデータを第１のビデオシステムに供給することができる。生体情報ベース認証モジュール４１は、ユーザの親指の指紋からのデータを取得する親指の指紋センサを含んでいてもよく、または他のタイプの生体情報データを利用してもよい。
【００１９】
記録機能の選択時において、および認証モジュール４１によるユーザの識別子の確認時において、ステップ２０３が実行され、第１のタイプのビデオ信号１５が第１のビデオシステムコネクタ１９およびポータブル記憶デバイスコネクタ１３を通して、第１のビデオシステム１７からポータブル記憶デバイス１１に転送される。プロトコル制御装置３７は、第１のタイプのビデオ信号１５をデータ信号４９に変換する。データ信号４９はマイクロ制御装置ユニット３１に送り込まれ、マイクロ制御装置ユニット３１は、ポータブル記憶デバイス１１に組み込まれたエンコーダ／デコーダエンジン３５によってエンコードするためにデータ信号４９をルーティングする。次にステップ２０５において、エンコーダ／デコーダエンジン３５がビデオ信号を圧縮されたビデオデータ５１にエンコードし、圧縮ビデオデータ５１はステップ２０７においてポータブル記憶デバイスのメモリセクション３３に記憶される。圧縮データのフォーマットは例えば、ＭＰＥＧ１、ＭＰＥＧ２、ＭＰＥＧ４、ＭＰ３、ＭＰＥＧ７またはＭＰＥＧ２１としてもよい。エンコーダ／デコーダエンジン３５が他の圧縮データフォーマットも同様にエンコード／デコードするように、コネクタ１３を通してプログラムしてもよい。
【００２０】
ステップ２０９において、ポータブル記憶デバイスコネクタ１３は、第１のビデオシステムコネクタ１９から分離される。ビデオおよび／またはオーディオコンテンツはこのようにポータブル記憶デバイス１１に記憶され、第２のビデオシステム２１へと便利に運ぶことができる。
【００２１】
ステップ２１１において、ポータブル記憶デバイスコネクタ１３は、第２のビデオシステム２１にインターフェイスセクション２５経由で接続される。１つの実施形態では、インターフェイスセクションコネクタ２７は、ポータブルデータ記憶デバイスコネクタ１３に直接接続してもよい。インターフェイスセクション２５は、第２のビデオシステム２１に信号接続２９経由で接続される。
【００２２】
ユーザはキーマトリクス３９をトリガして、メモリセクション３３に記憶されたビデオデータの再生が始まることを示す信号をマイクロ制御装置ユニット３１に送信する。生体情報ベース認証モジュール４１が再び使用され、今回はメモリセクション３３に記憶されたデータに対する認証されていないアクセスを防止する。この認証プロセスは著作権のある素材の認証されていない複製を防止するために再び使用することができる。
【００２３】
再生機能の選択時において、および認証モジュール４１によるユーザの識別子の確認時において、圧縮ビデオデータ５１がマイクロ制御装置ユニット３１に送り込まれ、マイクロ制御装置ユニット３１は、エンコーダ／デコーダエンジン３５によってデコードするために圧縮ビデオデータ５１をルーティングする。ステップ２１３において、エンコーダ／デコーダエンジン３５によって、圧縮ビデオデータ５１がデコードされてデータ信号４９に戻される。プロトコル制御装置３７はデータ信号４９を変換して第１のタイプのビデオ信号１５に戻す。
【００２４】
ステップ２１５において、第１のタイプのビデオ信号１５がポータブル記憶デバイスコネクタ１３、およびインターフェイスセクション２５のインターフェイスセクションコネクタ２７を通して送られる。
【００２５】
ステップ２１７において、インターフェイスセクション２５は、インターフェイスセクション２５を通して信号を送ることにより、第１のタイプのビデオ信号１５を第２のタイプのビデオ信号２３に変換する。ステップ２１９では、第２のタイプのビデオ信号が、インターフェイスセクション２５および第２のビデオシステム２１間の信号接続２９を通して第２のビデオシステムに送られ、ステップ２２１において第２のビデオシステム２１によって再生される。
【００２６】
好ましい実施形態では、第１のビデオシステム１７はＵＳＢポートを有するコンピュータである。また、ポータブル記憶デバイスコネクタ１３はＵＳＢ雄タイプコネクタであり、第１のビデオシステムコネクタ１９およびインターフェイスコネクタ２７の両方はＵＳＢ雌タイプコネクタである。第１のタイプのビデオ信号１５はＵＳＢプロトコル信号であり、プロトコル制御装置３７、４３はＵＳＢ制御装置である。代わりに、コンピュータ接続のために他のコネクタおよびプロトコルを使用してもよい。
【００２７】
ポータブル記憶デバイス１１がコンピュータからの信号を受け取るように構成されているとき、デバイス１１はオーディオ／ビジュアル信号の受け取りに限定されていない。むしろ、任意のタイプのコンピュータファイルをデバイス１１のメモリ３３に記憶し、デバイス１１のメモリ３３から検索することができる。そのようなファイルが受け取られるとき、エンコーダ／デコーダエンジン３５は動作停止したままである。好ましい実施形態では、エンコーダ／デコーダエンジン３５はキーマトリクス３９を使用して記録／再生が開始されるときのみ起動される。そうでない場合、ポータブル記憶デバイス１１への入力またはポータブル記憶デバイス１１からの出力が、エンコードまたはデコードする必要のないファイルフォーマットであると仮定される。
【００２８】
代わりに、第１のビデオシステムはＨＤＭＩコネクタを有するテレビジョンであってもよい。ポータブル記憶デバイスコネクタ１３はＨＤＭＩコネクタであり、第１のビデオシステムコネクタ１９およびインターフェイスコネクタ２７もＨＤＭＩコネクタである。第１のタイプのビデオ信号１５はＨＤＭＩプロトコル信号であり、プロトコル制御装置３７、４３はＨＤＭＩインターフェイスである。ＨＤＭＩを使用しているすべての実施形態では、ＲＣＡまたはＢＮＣのような他のテレビジョン規格を代わりに使用することができる。
【００２９】
制御装置がＨＤＭＩインターフェイスであるとき、オプション的に、図５においてＨＤＭＩポータブル記憶デバイス１１´によって示されるように、ポータブル記憶デバイスを構成してもよい。理解できるように、データ信号４９はマイクロ制御装置ユニット３１を通してルーティングされるというよりは、エンコーダ／デコーダエンジン３５へまたはエンコーダ／デコーダエンジン３５から直接送られる。
【００３０】
また、第１のビデオシステム１７がコンピュータである実施形態では、第２のビデオシステム２１はＨＤＭＩコネクタを有するテレビジョンであってもよい。第２のビデオシステムコネクタ５５はＨＤＭＩコネクタであり、第２のタイプのビデオ信号２３はＨＤＭＩプロトコル信号である。インターフェイスセクションおよび第２のビデオシステムコネクタ間の信号接続２９は、インターフェイスセクション２５に取り付けられ、第２のビデオシステムコネクタ５５に直接接続するＨＤＭＩコネクタ５３からなる。インターフェイスセクション２５はＵＳＢおよびＨＤＭＩプロトコル信号間で変換を行う。さらに、プロトコル制御装置３７、４３はＵＳＢ制御装置であり、プロトコル制御装置４５はＨＤＭＩインターフェイスである。このＵＳＢ／ＨＤＭＩ構成のため、ポータブル記憶デバイス１０からテレビジョンへの再生の間、ＵＳＢ制御装置４３はＵＳＢ信号１５をＵＳＢインターフェイスプロトコル信号５９に変換する。次に、インターフェイスセクションマイクロ制御装置ユニット４７は、ＵＳＢインターフェイスプロトコル信号５９をＨＤＭＩインターフェイスプロトコル信号５７に変換する。ＨＤＭＩインターフェイス４５はＨＤＭＩインターフェイスプロトコル信号５７をＨＤＭＩ信号２３に変換する。テレビジョンからポータブル記憶デバイス１０への記録に関して、プロセスは逆になる。
【図面の簡単な説明】
【００３１】
【図１】図１は本発明のビデオ信号の記録および再生のためのデバイスを示す。
【図２】図２は本発明の機能を示すフローチャートである。
【図３】図３はビデオシステムと一体的に組み合わされた、インターフェイスセクションの一体的構成を示す。
【図４】図４はポータブル記憶デバイスと一体的に組み合わされた、インターフェイスセクションの一体的構成を示す。
【図５】図５はＨＤＭＩと使用するためのポータブル記憶デバイスの代替構成を示す。
【図１】
2007518215.tif 000002
【図２】
2007518215.tif 000003
【図３】
2007518215.tif 000004
【図４】
2007518215.tif 000005
【図５】
2007518215.tif 000006
【国際調査報告】
2007518215.tif 000007
2007518215.tif 000008
2007518215.tif 000009